(57)【要約】異なるソースからのメタデータが記録の編成、混点の検索及び特定の記録へのアクセスに使用される。異なる標準を使用する異なるメタデータソースに起因して、メタデータは異なるセマンティクスおよびシンタクスを有する。本発明によれば、１つまたは複数の変換規則を使用して異なるソースから受信したオリジナルメタデータから統合メタデータが導出される。変換規則はオリジナルメタデータのコンテントまたはコンテントの部分が統合メタデータのコンテントまたはコンテントの部分を構成するためにどのように使用されるかを規定する。導出された統合メタデータはユーザに表され、ユーザ入力に応じて処理される。
2005521309.tif 000002
【特許請求の範囲】
【請求項１】
メタデータがマルチメディアエッセンスを記述し、マルチメディアエッセンスとリンクされており、該マルチメディアエッセンスにアクセスするために使用される、異なるソースからのメタデータを使用するための方法において、
−オリジナルメタデータを異なるソースから受信し、
−前記オリジナルメタデータから１つまたは複数の変換規則を使用して統合メタデータを導出し、前記変換規則は、前記オリジナルメタデータのコンテントまたはコンテントの一部が前記統合メタデータのコンテントまたはコンテントの一部を構成するためにどのように使用されるべきかを規定することを特徴とする、異なるソースからのメタデータを使用するための方法。
【請求項２】
さらに、
−前記導出された統合メタデータをユーザに表し、
−前記導出された統合メタデータをユーザ入力に応じて処理する、
請求項１記載の方法。
【請求項３】
前記処理の結果は前記統合メタデータの選択、消去および修正である、請求項２記載の方法。
【請求項４】
さらに、
−前記オリジナルメタデータを記憶し、
−該記憶された前記オリジナルメタデータを変更せずに保持し、
−前記統合メタデータから前記オリジナルメタデータへの回帰を可能にする、請求項１から３までのいずれか１項記載の方法。
【請求項５】
前記オリジナルメタデータはリンクを包含し、前記変換規則の一部は、前記オリジナルメタデータ内から導出された全ての前記統合メタデータへの前記リンクのマッピングまたは継承をカバーする、請求項１から４までのいずれか１項記載の方法。
【請求項６】
前記オリジナルメタデータを少なくとも部分的に構造化し、前記変換規則は少なくとも部分的に前記オリジナルメタデータの構造の検査および評価に基礎をおく、請求項１から５までのいずれか１項記載の方法。
【請求項７】
前記オリジナルメタデータを少なくとも部分的に、構造化されていない一連の語から構成し、前記変換規則は少なくとも部分的に検索フレーズを包含し、前記変換規則は少なくとも部分的にフレーズ類似性尺度の評価に基礎をおき、前記フレーズ類似性尺度は語順および／または語の間隔尺度に基礎をおき、前記フレーズ類似性尺度の適用に先行して、前記オリジナルメタデータの語および前記検索フレーズの語を選択的にステミングアルゴリズムの適用により標準化する、請求項１から５までのいずれか１項記載の方法。
【請求項８】
メタデータがマルチメディアエッセンスを記述し、該マルチメディアエッセンスへのアクセスに使用される、異なるソースからのメタデータを使用する装置において、
−異なるソースからのオリジナルメタデータを受信する手段が設けられており、
−１つまたは複数の変換規則を使用して前記オリジナルメタデータから統合メタデータを導出する手段が設けられており、該変換規則は前記オリジナルメタデータのコンテントまたはコンテントの一部が前記統合メタデータのコンテントまたはコンテントの一部を構成するためにどのように使用されるべきかを規定する、ことを特徴とする異なるソースからのメタデータを使用する装置。
【請求項９】
さらに、
−前記導出された統合メタデータをユーザに表す手段が設けられており、
−前記導出された統合メタデータをユーザ入力に応じて処理する手段が設けられている、請求項８記載の装置。
【発明の詳細な説明】
【技術分野】
【０００１】
本発明は、例えば記録の編成、コンテントの検索および特定な記録にアクセスするために、異なるソースからのメタデータを使用するための方法および装置に関する。
【０００２】
背景
個人的なビデオ記録のためのディジタル記憶媒体の容量は絶えず増大し続けている。現在のところ、約２０の長編映画を単一の１００ギガバイト（ＧＢ）ハードディスクに記憶することが可能である。２００５年には約８０の映画を単一の４００ＧＢハードディスクに記憶することが可能になりそうである。
【０００３】
同様に交換可能な記憶媒体の容量も拡大している。長編映画を包含するＤＶＤは広く入手可能であり、また４．７ＧＢの記憶容量を有する再書込可能なＤＶＤ（ＤＶＤ−ＲＡＭ、ＤＶＤ−ＲＷ、ＤＶＤ＋ＲＷ）も市販されている。さらには、「ブルーレイ・ディスク」と称される次世代の大容量光学ディスクに関する基本的な仕様が近頃定められており、片面一層のディスクにおいて２７ＧＢまでのデータの記録、再書込、再生が可能とされている。さらに容量を増大するために、片側につき二層または多層を使用することができ、これをディスクの両側に適用することもできる。最後に種々のディスクを特別な１つの特別なマガジンにおいて組み合わせることができる。
【０００４】
この莫大な量のデータは記録の編成、コンテントの検索、特定の記録へのアクセスのための新たな方法を要求する。このために考えられる解決手段の１つは、記録されたコンテントに関してデータに関するデータとして定義されている、いわゆるメタデータを使用することである。種々の産業グループおよび標準化団体が異なる目的およびアプリケーションのためのメタデータ標準を発展させてきている。メタデータの慣例におけるコンテキストでは、メタデータと関連付けられたコンテントはしばしば「エッセンス」と呼ばれる。
【０００５】
ＡＶストリームＭＰＥＧ−１、ＭＰＥＧ−２およびＭＰＥＧ−４のための圧縮標準は、それぞれのＭＰＥＧシステム標準において規定されている、幾つかの番組特定情報（ＰＳＩ）を既に包含する。同様に、ディジタル・テレビジョン信号の伝送に使用されるＤＶＢ標準は、ＭＰＥＧ−２トランスポートストリームマルチプレクスに準拠するＤＶＢ内に包含されているサービス情報（ＤＶＢ−ＳＩ）を規定する。
【０００６】
さらに最近では、ＴＶ−Ａｎｙｔｉｍｅフォーラムがメタデータの仕様Ｓ−３、ドキュメント番号ＳＰ００３ｖ１．１において規定したように、メタデータは例えばエンハンスド・ブロードキャスト、インタラクティブＴＶ、インターネットおよびローカルストレージを含む種々の内部ソースおよび外部ソースからのコンテントをナビゲートおよび管理する。付加的に、これらのメタデータはユーザの嗜好、例えば贔屓の俳優またはＴＶショーに関する情報も包含することができ、これらの情報は消費者を代表する代理人によるコンテントの自動的なフィルタリングおよび収集を容易にする。
【０００７】
同様に、マルチメディアコンテントへの効果的且つ効率的なアクセスに関するＭＰＥＧ標準は今現在開発中である［ISO/IEC 15938 : Information Technology --Multimedia content description interface］。このＭＰＥＧ−７標準はメタデータ要素およびメタデータ要素の構造ならびに関係を提供し、これらはマルチメディアコンテントの記述を作成するための記述子および記述スキーマの形態で定義されている。
【０００８】
本発明
本発明は以下の事実の認識を基礎とする。同一のコンテントを既述するしばしば種々異なるメタデータを利用することができる。しかしながらこれらのメタデータは、それぞれ標準、例えばＭＰＥＧ−７またはＴＶ−Ａｎｙｔｉｍｅ標準において定義されている、異なる関連意味（セマンティクス）およびコーディング方式（シンタクス）を有することができる。他方ではメタデータを用いるシステム計画においては、メタデータまたはメタデータフィールドの所定のセマンティクスおよびシンタクスは他のものよりも適当であり、プロパティおよび特徴に依存してシステムは実行できるべきである。したがってメタデータのセマンティクスおよびシンタクスが異なるにもかかわらず、利用可能な全てのメタデータを使用できることが望まれる。
【０００９】
したがって本発明によって解決されるべき課題は、異なるセマンティクスまたはシンタクスを有する異なるソースに由来するメタデータの使用を可能にすることである。
【００１０】
この課題は請求項１に記載されている方法によって解決される。この方法を使用する装置は請求項８に記載されている。
【００１１】
本発明によれば、オリジナルメタデータが異なるソースから受信され、１つまたは複数の変換規則を使用することにより統合メタデータが前述のオリジナルメタデータから導出され、ここで変換規則は前述のオリジナルメタデータのコンテントまたはコンテントの一部が前述の統合メタデータのコンテントまたはコンテントの一部を構成するためにどのように使用されるべきかを規定する。
【００１２】
有利には、導出された統合メタデータがユーザに表され、ユーザ入力に応じて処理される。
【００１３】
有利には、処理の結果は前述の統合メタデータの選択、消去および修正である。
【００１４】
さらには、オリジナルメタデータを記憶し、記憶されたオリジナルメタデータを変更せずに保持し、統合メタデータからオリジナルメタデータに回帰できることは有利である。
【００１５】
変換規則に関しては、オリジナルメタデータはそれ自体構造化されている全ての場合においてオリジナルメタデータの形式的および／または構造的なプロパティに変換規則の基礎をおくことは有利である。
【００１６】
テキスト的な性質を持つ構造化されていないオリジナルメタデータに関しては、ユーザ定義の検索フレーズに対するフレーズの許容的な整合を考慮する類似尺度に変換規則の基礎をおくことは有利である。
【００１７】
さら有利な実施形態によれば、変換規則の一部はオリジナルメタデータ内から導出された全ての統合メタデータへのエッセンスリンクのマッピングまたは継承をカバーする。
【００１８】
本発明の更に有利な実施形態は以下の説明から生じる。
【００１９】
図面
本発明の実施例を図面と関連して説明し、ここで、
図１は異なるシンタクスおよびセマンティクスを有するオリジナルメタデータ記録の統合メタデータ記録への変換を包括的に示しており、
図２は受信したオリジナルメタデータからの統合メタデータの導出を含むメタデータの処理のブロックダイアグラムを示す。
【００２０】
図１は包括的に、異なるシンタクスおよびセマンティクスを有するオリジナルメタデータ記録の統合メタデータ記録への変換を示し、この統合メタデータ記録を以下ではコア・メタデータとも称する。変換Ｔ１，．．．，Ｔｊ，．．．は、所定のクラスのオリジナルメタデータ記録のコンテントまたはコンテントの部分が統合メタデータ記録のコンテントまたはコンテントの部分を構成するためにどのように使用されるかという規則を規定する。図１においてブロック「ＯＤＲ１」から「ＯＤＲｋ＋ｍ」がオリジナルメタデータ記録の異なるクラスを表し、より詳細には、ＯＤＲ１およびＯＤＲｋの２つのブロックは１つの固有のシンタクス／セマンティクスによって管理され、それに対しブロックＯＤＲｋ＋１およびＯＤＲｋ＋ｍは第２の異なるシンタクス／セマンティクスによって管理されるものとする。
【００２１】
クラスＯＤＲ１内の全てのオリジナルメタデータ記録は変換Ｔ１のセットによって統合メタデータ記録の第１のクラスＵＤＲ１のインスタンスに変換される。この変換の部分として、変換Ｔ１はＯＤＲ１のインスタンス内の所定の部分の存在を要求することができるので、Ｔ１の適用によってＯＤＲ１の全てのインスタンスが１つの出力ＵＤＲ１を実際に生成するのではない。また、Ｔ１によって表される変換はＯＤＲ１のインスタンスの所定の部分のみがＵＤＲ１の新たなインスタンスの所定の部分を構成するために用いられるべきことを要求できることも忘れてはならない。
【００２２】
同様に変換Ｔ１の同一のセットは、所定の条件のもとで、オリジナルメタデータ記録の第２のクラスＯＤＲｋのインスタンスの事前定義された幾つかの部分が第１の種類の統合メタデータ記録ＵＤＲ１の異なるインスタンスに変換されることを定義する規則を包含することができる。しかしながら、オリジナルメタデータの第２のクラスＯＤＲｋの別のインスタンスは、これらのインスタンスが所定の別の部分を包含するのであれば、変換Ｔｊの異なるセットによって統合メタデータ記録の第２のクラスＵＤＲｊのインスタンスに変換される。同様に、第２の標準によるシンタクス／セマンティクスを有するクラスＯＤＲｋ＋１およびＯＤＲｋ＋ｍの別のオリジナルメタデータ記録が変換Ｔ１およびＴｊによって第１および第２の統合メタデータ記録ＵＤＲ１及びＵＤＲｊのインスタンスに変換される。このようにして、十分な数のオリジナルメタデータを利用でき、それぞれの変換規則が適用される場合には、種々の候補が各種のコア・メタデータに対して生成される。このようにしてユーザは十分な資料を有し、この資料からユーザが最終的に欲するコア・メタデータを編集的に抽出することができる。
【００２３】
図２は一連のメタデータ処理全体の一部として、本来受信したメタデータからコア・メタデータを導出するための一例を示す。以下の記述はＭＰＥＧ−２トランスポートストリームの処理に重点をおくが、このことはメタデータを包含する多重化されたビットストリームを使用するあらゆるシステムでの使用に関して容易に一般化することができる。
【００２４】
ブロードキャストＤＶＢトランスポートストリームＴＳを記録する場合、オーディオ信号およびビデオ信号の他にマルチプレクス内に包含されている付加的なサービス情報がこのマルチプレクスからオペランド解析される。このためにブロードキャスト信号が、文字多重放送、ＤＶＢ−ＳＩなどのようなメタデータに関して、ＤＶＢメタデータ構文解析系ＭＤ−ＰＡＲによって分析され、また検出されたメタデータが多重解除および抽出される。
【００２５】
抽出されたメタデータはＸＭＬメタデータ記述子ＸＭＬ−ＤＳに変換される。メタデータ記述子に関するこのＸＭＬ表現は、異なる種類のメタデータ記述子に関する一般的な構造を有することを許容する。換言すれば、固有表現をＸＭＬ表現に変換する変換器が存在しさえすれば、メタデータデータベースＭＤ−ＤＢはあらゆる種類のメタデータを記憶することができる。同様に、それぞれのメタデータソースに依存せずに、メタデータへの問合せを実行することが可能である。
【００２６】
異なるメタデータソースに関して種々の変換器、例えばＤＶＢ−ＳＩデータを変換するための変換器ＸＭＬ−ＳＩまたは文字多重放送またはクローズド・キャプションデータを変換するための別の変換器ＸＭＬ−ＴＴのような種々の変換器が存在する。変換器はその固有コーディング、例えばＤＶＢ−ＳＩ２進フォーマットからＸＭＬ表現にメタデータを変換する。この変換はメタデータ内の情報を「そのまま」保持し続ける。情報は付加も除去もされない。これによってメタデータを後に非常にフレキシブルに使用することができる。記録中メタデータ記述子はメタデータデータベースＭＤ−ＤＢに蓄積および記憶される。
【００２７】
同様に、ユーザ注釈（ＵＡ）のようなユーザによってマニュアルで生成されたメタデータ記述子を、これらが変換器ＸＭＬ−ＵＡによってＸＭＬ表現に変換された後に記憶することができる。さらには、ＨＴＭＬ、ＴＶ−Ａｎｙｔｉｍｅ、ＭＰＥＧ−７またはＳＭＰＴＥのような他の標準によるメタデータ記述子がそれぞれの変換器ＸＭＬ−ＨＴＭＬ、ＸＭＬ−ＴＶＡ、ＸＭＬ−Ｍ７またはＸＭＬ−ＳＭＰＴＥによって変換されて、記憶される。これらのメタデータ記述子を同一または異なる伝送路、例えばインターネットを介して受信することができる。
【００２８】
アーカイブシステムは他の記録装置および／または記憶媒体に由来するメタデータ記述子を記憶することもできる。しかしながら、このことは装置および／または媒体間でメタデータ記述子を交換できるような、メタデータ記述子のためのエクスポートおよびインポート機能ＭＤ−ＥＸＰ−ＩＭＰを必要とする。
【００２９】
メタデータデータバンクＭＤ−ＤＢ内に記憶されているメタデータ記述を使用するために、本発明によるオリジナルメタデータからコア・メタデータＣＭへの変換は特別な変換規則ＭＤ−Ｔを使用して実行されるべきである。ここでメタデータが「そのまま」記憶されていることが有利となる。利用可能なメタデータ情報の完全なセットにいかなる情報も付加されていない、またはこの完全なセットからいかなる情報も除去されていない。
【００３０】
最後に、選択されたメタデータ記述子を示している相応のビデオ／オーディオストリームまたはメタデータを発見するために、問合せおよびブラウジング技術Ｑを用いることによりユーザインタフェースＵＩを介して全てのメタデータへのアクセスを提供できる。
【００３１】
オリジナルメタデータのコア・メタデータへの変換の一例は、異なるメタデータ項目の所定の記録に関するタイトル情報への変換である。あらゆる種類のＡＶ資料の保管、検索および分類となると、タイトル情報はしばしば最も有用かつ汎用な単一のメタデータ項目である。自身で記録した資料（例えばカムコーダーを使用して）、またはブロードキャストから記録した資料、または録音された媒体における資料のようなあらゆる資料に関して、殆ど全ての者はこの資料をタイトルと関連付けできるようになり、このタイトルに基づき資料を一方では後の検索のために認識することができ、しかしながら他方では必要に応じて、非常に類似していると思われる他の資料と効果的に区別することができる。
【００３２】
この非常に直観的なタイトルの概念にしたがって、多数の既存のメタデータシステムはタイトルのためのコンテナを構成する項目を包含するが、もっともこれらの項目は異なる名称に属し、別個のシンタクスを有することができる。
−ＤＶＢ、サービス情報のその「ＤＶＢ−ＳＩ」において「短い事象記述子」を規定し、この短い事象記述子は「テキストの形態で事象の名称および事象の短い記述子を提供する」。短い事象記述子のシンタクスは可変長の２つのテキストフィールドを予測する：一方は「事象名」のための専用のフィールドであり、他方のフィールドは「事象のテキスト記述を規定する」ものである。
−ＭＰＥＧ−７、その「作成記述スキーマ」において、「視聴覚番組の名称」としての「タイトル」の概念を有する。
−ＴＶ−Ａｎｙｔｉｍｅ、その電子番組ガイドでの作用において、「番組のテキスト的なタイトル（...）マルチプルタイトル記述子を包含できる」ものとしての「タイトル」の着想を言及している。
−あらゆる種類のユーザ注釈のためのいかなるコンテナは、ＡＶ資料の一部のユーザ固有のタイトルに常に使用される可能性がある。
【００３３】
したがって、本発明によるコア・メタデータスキーマは、「タイトル」が付けられたコア・メタデータのクラスを１つ有することになり、上述した所定のメタデータ全てが「タイトル」候補を導出するための入力として使用されるべきである。何故ならばメタデータは、メタデータが包含しているものに依存するが、「タイトル」の上述の直観的な概念に使用されるべき良質の資料を包含している可能性があるからである。したがって、コア・メタデータスキーマは上述の各メタデータのための変換規則を定義し、これらの変換規則はあらゆるケースにおいてコンテントのどの部分が導出されたコア・メタデータ項目のコンテントとして挿入されるべきかを規定する。コア・メタデータスキーマは、ユーザが全ての「タイトル」候補を検査できるようなツールを提供し、ユーザの個人的な嗜好に適合するようにこれらのタイトル候補の内の１つを選択することができる、および／または、タイトル候補のコンテントを編集することができる。
【００３４】
「タイトル」候補を導出するためのさらに詳細な例として例えば以下のものが考えられる。ＥＰＧデータがＴＶ−Ａｎｙｔｉｍｅ標準にしたがい伝送され、またＴＶ受像機またはセットトップ・ボックスによって受信される。ユーザはテレビ画面上にＥＰＧ表示を呼び出し、表示されたタイトルに基づき表示されたＥＰＧ内のテレビ番組を選択する。ＴＶ−Ａｎｙｔｉｍｅ標準によるタイトル情報は分割されており、またコア・メタデータ「タイトル」の第１の候補として記憶されている。ＴＶ受像機が選択されたチャネルにチューニングされると、ＤＶＢ信号内のＳＩ情報が分析され、第２のタイトル情報が分割され、第２の候補として記憶される。さらには、受信チャネルにおいて受信されている文字放送信号は現在の番組に関する情報について検査され、この文字放送信号が第３のタイトル候補として記憶される。記憶されるタイトル情報は異なる標準規格を基礎としているので、全てのタイトル情報を同一のフォーマットに変換するためにこれらのタイトル情報には異なる変換が適用される。変換された全てのタイトル情報が記憶され、後の都合の良い時に何時でも、これらのタイトル情報をユーザに表示することができ、ユーザは「最善の」タイトル情報を選択することができる。例えば、長いタイトルに関して３つのタイトル情報の内の２つは短縮されたバージョンとして生じており、一方の残りの１つのタイトル情報は完全なバージョンとして生じている。ユーザはこの場合、ユーザの記録の将来の概観のために完全なタイトル情報を選択することができる。
【００３５】
「データに関するデータ」として定義されているメタデータ、あらゆるオリジナルメタデータの構成要素部分は常にエッセンスリンクとなり、このリンクを介してメタデータはＡＶエッセンスを示す。このことから、変換規則ＭＤ−Ｔの部分は有利には、入力メタデータにおいて発見されたエッセンスリンクは、導出されたコア・メタデータに表すためにどのように複製されるべきかの詳細を表すことも明らかである。エッセンスリンクに加え、オリジナルメタデータはそのオリジナルメタデータがどこで受信されたかまたはどこから抽出されたかを規定する「起点リンク」も包含することができる。コア・メタデータがそのような「起点リンク」も包含すると想定すると、変換規則ＭＤ−Ｔの別の部分はこのコア・メタデータ起点リンクがどのようにセットされるべきかを表すことができ、１つの考えられる解決手段はこのリンクがコア・メタデータが由来するオリジナルメタデータを示すことである。
【００３６】
ＤＶＢ−ＳＩまたはＴＶ−Ａｎｙｔｉｍｅ標準に応じるような、それ自体が構造化されているオリジナルメタデータに関して、変換規則ＭＤ−Ｔは典型的にはさらなる処理に関して所定の種類のメタデータのみを選択し、入力メタデータにおける所定の選択的な構造的部分の存在について検査し、幾つかの部分をこれらの部分が所定値を有するか否かについて潜在的に検査し、またこれらの必須条件が満たされていることを条件として、変換は入力メタデータの所定のサブセットを抽出し、生成すべき出力コア・メタデータの所定の位置に挿入する。
【００３７】
他の入力メタデータ、殊に「テキスト的」なものとして表されているものを除いた非構造的な入力メタデータに関しては、変換規則ＭＤ−Ｔは典型的には入力メタデータとユーザが用意した幾つかの検索フレーズとの間のフレーズ類似性尺度の評価にある。そのようなフレーズ類似性尺度によって有利には文法または語法の僅かな差異に対して寛容になり、このことは語順および語の間隔を評価することによって達成することができ、また「ステミング（stemming）」として知られるアルゴリズムを使用することにより、比較すべき全ての語の語幹への付加的な変換によって達成することができる。
【００３８】
本発明は殊に、例えば大容量記憶媒体における特定の記録を検索およびアクセスするために、個人的なビデオ記録にとって有用である。しかしながら本発明はあらゆる種類の電子マルチメディアコンテントの参照およびコンテントロケーションに適用することができる。記録されたコンテントとして映画およびテレビ番組が考えられるが、視聴覚情報の他の全ての形態、例えば静止画、グラフィック、３Ｄモデル、オーディオ、音声およびビデオなどでも良い。
【図面の簡単な説明】
【００３９】
【図１】異なるシンタクスおよびセマンティクスを有するオリジナルメタデータ記録の統合メタデータ記録への変換を包括的に示す。
【図２】受信したオリジナルメタデータからの統合メタデータの導出を含むメタデータの処理のブロックダイアグラムを示す。
【図１】
2005521309.tif 000003
【図２】
2005521309.tif 000004
【国際調査報告】
2005521309.tif 000005
2005521309.tif 000006
2005521309.tif 000007
2005521309.tif 000008